(57)【要約】　　　（修正有）【課題】ボールを打ち出す際の方向性を容易に見定めることができると共に、ヘッドの傾斜を容易に判別することができ、パターフェースをラインに沿って９０度にストロークすることが容易なゴルフクラブ用パターヘッドを提供する。【要約】ヘッド本体１の上面に、フェース部２側のエッジに沿い且つスイートスポットを中心にして設けられた直線状の第１マーク９と、該直線状の第１マークの中央部からヘッド本体の後端部へ向けて、第１マークに対して垂直となるように設けられた直線状の第２マーク１０とを備えると共に、前記第１マークとその直径が重なるように設けられた、公式ゴルフボールの直径と同一の直径を有する半円状の第３マーク１３を備えることを特徴とする。【選択図】　　図１
0003099117.tif 000002
【実用新案登録請求の範囲】
【請求項１】
ヘッド本体の上面に、フェース部側のエッジに沿い且つスイートスポットを中心にして設けられた直線状の第１マークと、該直線状の第１マークの中央部からヘッド本体の後端部へ向けて、第１マークに対して垂直となるように設けられた直線状の第２マークとを備えると共に、前記第１マークとその直径が重なるように設けられた、公式ゴルフボールの直径と同一の直径を有する半円状の第３マークを備えることを特徴とするゴルフクラブ用パターヘッド。
【請求項２】
ヘッド本体の上面に、フェース部側のエッジに沿い且つスイートスポットを中心にして設けられた直線状の第１マークと、該直線状の第１マークの中央部からヘッド本体の後端部へかけて、第１マークに対して垂直に設けられた直線状の第２マークとを備えると共に、前記第１マークとその直径が重なるように設けられた、ゴルフボールの直径と同一の直径を有する半円状の第３マークと、前記第２マークとその直径が重なるように前記第３マークのヘッド本体後端部側に設けられた、ゴルフボール状の第４マークを備えることを特徴とするゴルフクラブ用パターヘッド。
【請求項３】
前記第１マークと第２マークとがＴ字或いは略Ｔ字形状に形成されている請求項１又は２に記載のゴルフクラブ用パターヘッド。
【請求項４】
前記第各マークが、前記ヘッド本体の上面に設けられた溝により構成されている請求項１又は２に記載のゴルフクラブ用パターヘッド。
【請求項５】
前記第１マークが、ゴルフボールの直径と同一の長さを有する請求項１又は２に記載のゴルフクラブ用パターヘッド。
【請求項６】
前記第２マークが、第４マークのヘッド本体後端部側まで形成されている請求項２に記載のゴルフクラブ用パターヘッド。
【考案の詳細な説明】
【技術分野】
【０００１】
　この考案は、ヘッド本体の上面にゴルフボールの半分の形状とＴ字形状による打撃方向目視部を設けることによって、パッティング時におけるボールの打撃方向を容易に見定めることを可能としたゴルフクラブ用パターヘッドに関するものである。
【背景技術】
【０００２】
　従来、上記ゴルフパターヘッドは、ステンレスやアルミ合金等の種々の金属によって、比較的体積が小さく小型に形成されている。そのため、かかるゴルフクラブ用パターヘッドでは、所望の方向に向けてゴルフボールを打つことが困難であるばかりか、ゴルフボールを打つときに、パターヘッドが傾斜してしまい、所望のパッティングをすることが容易ではなかった。
【０００３】
　そこで、上記ゴルフクラブ用パターヘッドとしては、種々のものが提案されており、実際に販売されている。かかるゴルフクラブ用パターヘッドとして、例えば、フェース上面に当該フェースに直交する細線を刻設したものが提案されている。このパターヘッドは、前記細線を所望の方向に合わせることにより、ゴルフボール当該所望の方向へを打つことを容易としたものである。
【考案の開示】
【考案が解決しようとする課題】
【０００４】
　しかしながら、上記従来技術の場合には、次のような問題点を有している。すなわち、上記提案に係るパターヘッドでは、ボールを打ち出す際の方向性を比較的容易に見定めることができる反面、パターのフェースの傾斜が容易に判別することができないという問題点を有していた。
【０００５】
　そこで、この考案は、上記従来技術の問題点を解決するためになされたものでその目的とするところは、ボールを打ち出す際の方向性をきわめて容易に見定めることができると共に、フェースの傾斜を容易に判別することができ、パターヘッドを水平にしてストロークすることが可能なゴルフクラブ用パターヘッドを提供することにある。
【課題を解決するための手段】
【０００６】
　すなわち、請求項１に記載された考案は、ヘッド本体の上面に、フェース部側のエッジに沿い且つスイートスポットを中心にして設けられた直線状の第１マークと、該直線状の第１マークの中央部からヘッド本体の後端部へ向けて、第１マークに対して垂直となるように設けられた直線状の第２マークとを備えると共に、前記第１マークとその直径が重なるように設けられた、公式ゴルフボールの直径と同一の直径を有する半円状の第３マークを備えることを特徴とするゴルフクラブ用パターヘッドである。
【０００７】
　又、請求項２に記載された考案は、ヘッド本体の上面に、フェース部側のエッジに沿い且つスイートスポットを中心にして設けられた直線状の第１マークと、該直線状の第１マークの中央部からヘッド本体の後端部へかけて、第１マークに対して垂直に設けられた直線状の第２マークとを備えると共に、前記第１マークとその直径が重なるように設けられた、ゴルフボールの直径と同一の直径を有する半円状の第３マークと、前記第２マークとその直径が重なるように前記第３マークのヘッド本体後端部側に設けられた、ゴルフボール状の第４マークを備えることを特徴とするゴルフクラブ用パターヘッドである。
【考案の効果】
【０００８】
　この考案によれば、ボールを打ち出す際の方向性を容易に見定めることができると共に、ヘッドの傾斜を容易に判別することができ、パターフェースをラインに沿って９０度にストロークすることが容易なゴルフクラブ用パターヘッドを提供することができる。
【考案を実施するための最良の形態】
【０００９】
　以下、添付図面に示すこの考案の実施の一形態に基づいて、この考案を具体的に説明する。
【実施例１】
【００１０】
　図１乃至図４は、この考案の実施の一形態に係るゴルフクラブ用パターヘッドを示す構成図である。
【００１１】
　このゴルフクラブ用パターヘッドのヘッド本体１は、図１乃至図４に示すように、ステンレスやアルミ合金等の材料によって鋳造され、内部に中空部を有するように構成されている。上記ヘッド本体１のフェース部２には、所定の肉厚を有する樹脂材料よりなる、いわゆるフェースインサート３が取り付けられており、当該フェース部２の背面側は、図５に示すように、中空部４となっている。
【００１２】
　尚、中空部４の体積は、本願のゴルフクラブ用パターヘッドのヘッド本体１が適切な重量を有するものとなるように適宜に調整するもので、図５に示す中空部４では適切な重量を有するものとならない場合は、フェース部２の後方を金属製の充実部としてもよい。
【００１３】
　又、上記ヘッド本体１の上面には、その手前側に、図示しないシャフトが挿入されるホゼル部５が、ヘッド本体１と一体的に設けられている。そして、上記ヘッド本体１は、ホゼル部５に図示しないシャフトを挿入した状態で、エポキシ樹脂等によって接着固定することにより、ゴルフパターとして使用される。尚、シャフトの取り付け方法を別とすることにより、ホゼル部５を省略することも可能である。
【００１４】
　上記ヘッド本体１は、図２に示すように、その正面形状が、略矩形状のフェース部２を成し、当該略矩形状の外形の内部に、フェースインサート３が位置するように形成されている。又、上記ヘッド本体１の平面形状は、図１に示すように、フェース部２の上下両端部から、上下方向に幾らか略円形状に膨らんだ湾曲部６を介して、フェース部２と反対側の後端部に、略ゴルフボール大の楕円形状に形成された部分７が滑らかに連なる形状に形成されている。更に、上記ヘッド本体の上端面は、ゲース部の上下両端部から、上下方向に内側に湾曲し、略ゴルフボール大の楕円形状に形成された部分まで、略平坦な面を形成するようになっている。又更に、上記ヘッド本体１の底面形状は、図３に示すように、その平面形状と同一の形状に形成され、上下方向に幾らか略円形状に膨らんだ湾曲部６が、図４に示すように、略平坦に形成されていると共に、当該湾曲部６に連なる略ゴルフボール大の楕円形状に形成された部分７が、底面から上方に湾曲した形状に形成されている。
【００１５】
　ところで、上記ゴルフクラブ用パターヘッドは、ヘッド本体の上面に、フェース部側のエッジに沿い且つスイートスポットを中心にして設けられた直線状の第１マークと、該直線状の第１マークの中央部からヘッド本体の後端部へ向けて、第１マークに対して垂直となるように設けられた直線状の第２マークとを備えると共に、前記第１マークとその直径が重なるように設けられた、ゴルフボールの直径と同一の直径を有する半円状の第３マークを備えるように構成されている。
【００１６】
　すなわち、この実施の形態では、図１に示すように、ヘッド本体１の上面１ａのフェース部２に対応した端部に、略Ｔ字形状のマーク８の横線９（直線状の第１マーク）が位置し、かつ、当該略Ｔ字形状のマーク８の横線９と縦線１０（直線状の第２マーク）の交点１１が、スイートスポット１２の中心の直線上に位置するように設けられている。又、上記該略Ｔ字形状のマーク８の縦線１０は、ヘッド本体１のフェース部２に直交するように設けられている。
【００１７】
　更に、上記ヘッド本体１の上面１ａには、略Ｔ字形状のマーク８の横線９を直径として、実物のゴルフボール（公式ゴルフボール）と同一の直径を有する半円形状の第３マーク１３が設けられている。又、上記ヘッド本体１の上面１ａには、半円形状の第３マーク１２と所定の距離Ｌだけ離間した状態で、略Ｔ字形状のマーク８の縦線１０とその直径が重なるようにして、実物のゴルフボール１４と同一の直径を有する円形状の第４マーク１５が設けられている。これら半円形状の第３マーク１３は、実物のゴルフボール１４と厳密に同一の直径を有するように形成するのが望ましいが、必ずしも実物のゴルフボールと厳密に同一の直径を有する必要はなく、若干異なる値に設定しても良い。
【００１８】
　更に、上記半円形状の第３マーク１３と円形状の第４マーク１５は、ヘッド本体１の上面１ａに直接描くことによって設けても良いが、この実施の形態では、これら半円形状の第３マーク１３と円形状の第４マーク１５は、略Ｔ字形状のマーク８と共に１ｍｍの厚さを有するように、鋳造時に同時に形成した溝により構成されている。もちろん、第３マーク１３と第４マーク１５は、プレート等を貼り付けることによって、ヘッド本体１の上面１ａに突出するように形成してもよい。
【００１９】
　すなわち、この実施の形態に係るゴルフクラブ用パターヘッドでは、図６に示すようにプレーヤーがフェース部２にゴルフボール１４を接近させた状態で、実物のゴルフボール１４と、パターのヘッド本体１の上面１ａに設けられた半円形状の第３マーク１３の位置が重なるように構える。こうすることによって、ゴルフボール１４をパターヘッドのフェース部２のスイートスポット１２に合わせた状態で、パターを構えることができる
　その際、上記パターヘッドが傾斜している場合には、図７及び図８に示すように、ヘッド本体１の上面１ａが地面と平行ではなくなるため、当該ヘッド本体１の上面１ａに設けられた略Ｔ字形状のマーク８の横線９（直線状の第１マーク）及び半円形状の第３マーク１３の直径部が、実物のゴルフボール１４よりも、僅かであるがフェース部２が傾斜している分だけ短く見えるため、プレーヤーは、パターヘッドが傾斜しているか否かを識別することができる。
【００２０】
　そして、プレーヤーは、ヘッド本体１の上面１ａに設けられた略Ｔ字形状のマーク８の横線９（直線状の第１マーク）及び半円形状の第３マーク１３の直径部が、実物のゴルフボール１４と同じ長さに見える状態となるように、パターヘッドの傾斜を修正することにより、正確なアラインメント設定ができるようになり、パターフェースをラインに沿って９０度にストロークすることができる。
【００２１】
　ストロークに際しては、ヘッド本体１の上面１ａに設けられた略Ｔ字形状のマーク８の縦線１０（直線状の第２マーク）、ゴルフボール１４及び例えばホール等の目的方向を目視で結ぶようにすれば、正確なライン取りができるようになる。
【００２２】
　このように、上記ゴルフクラブ用パターヘッドによれば、パッティングの２大要素であるアラインメントとライン取りを正確に行うことができ、ストロークに際しては、ヘッドが傾斜することなくラインに沿って移動すると共に、ボール１４をスィートスポット１２により的確に打ち出すことができる。
【００２３】
　尚、円形状の第４マーク１５は、これを省略することも可能であるが、採用した方が、ボール１４を該第４マーク１５により置き換えるような感触でストロークをすることができるので、好ましい。
【産業上の利用可能性】
【００２４】
　　ボールを打ち出す際の方向性を容易に見定めることができると共に、ヘッドの傾斜を容易に判別することができ、パターフェースをラインに沿って９０度にストロークすることが容易なゴルフクラブ用パターヘッドが提供される。
【図面の簡単な説明】
【００２５】
【図１】図１はこの考案の実施の形態１に係るゴルフクラブ用パターヘッドを示す平面図である。
【図２】図２はこの考案の実施の形態１に係るゴルフクラブ用パターヘッドを示す正面図である。
【図３】図３はこの考案の実施の形態１に係るゴルフクラブ用パターヘッドを示す底面図である。
【図４】図４はこの考案の実施の形態１に係るゴルフクラブ用パターヘッドを示す側面図である。
【図５】図５はこの考案の実施の形態１に係るゴルフクラブ用パターヘッドの一部切り欠き断面を示す平面図である。
【図６】図６はこの考案の実施の形態１に係るゴルフクラブ用パターヘッドの使用状態を示す説明図である。
【図７】図７はこの考案の実施の形態１に係るゴルフクラブ用パターヘッドの使用状態を示す説明図である。
【図８】図８はこの考案の実施の形態１に係るゴルフクラブ用パターヘッドの使用状態を示す説明図である。
【符号の説明】
【００２６】
１　ヘッド本体
２　フェース部
５　ホゼル部
８　略Ｔ字形状のマーク
９　横線（直線状の第１マーク）
１０　縦線（直線状の第２マーク）
１２　スイートスポット
１３　半円形状の第３マーク
１５　円形状の第４マーク
【図１】
0003099117.tif 000003
【図２】
0003099117.tif 000004
【図３】
0003099117.tif 000005
【図４】
0003099117.tif 000006
【図５】
0003099117.tif 000007
【図６】
0003099117.tif 000008
【図７】
0003099117.tif 000009
【図８】
0003099117.tif 000010